(57)【要約】【課題】多くの美容成分を保持できるコンパクトな保持部材を備え、当該美容成分を適度に含む空気流を放散するヘアドライヤーを提供する。【解決手段】ヘアドライヤーは、吸入口から吹出口へ向かう空気流を生成するファンと、空気流に霧化された液滴を付与する霧化装置と、保持する美容成分を空気流に含まれる液滴を媒体として空気流に放出する美容成分保持部材とを備え、美容成分保持部材は、空気流に沿った複数の貫通孔を有し、美容成分は複数の貫通孔の内面に吸着されている。【選択図】図３
2019111152.tif 000002
【特許請求の範囲】
【請求項１】
吸入口から吹出口へ向かう空気流を生成するファンと、
前記空気流に霧化された液滴を付与する霧化装置と、
保持する美容成分を前記空気流に含まれる前記液滴を媒体として前記空気流に放出する美容成分保持部材と
を備え、
前記美容成分保持部材は、前記空気流に沿った複数の貫通孔を有し、前記美容成分は前記複数の貫通孔の内面に吸着されているヘアドライヤー。
【請求項２】
前記美容成分保持部材は、前記複数の貫通孔がハニカム構造によって形成されている請求項１に記載のヘアドライヤー。
【請求項３】
前記美容成分保持部材は、前記複数の貫通孔の少なくとも一部が、前記空気流の吸入口における断面よりも吹出口における断面の方が大きく形成されている請求項１または２に記載のヘアドライヤー。
【請求項４】
前記空気流の流路として、前記美容成分保持部材の前記複数の貫通孔とは別に、前記美容成分保持部材の外面に沿って形成された、前記複数の貫通孔から吹き出された空気流と合流する空気流を通過させる補助流路を有する請求項１から３のいずれか１項に記載のヘアドライヤー。
【請求項５】
前記美容成分保持部材は、セラミック焼結体である請求項１から４のいずれか１項に記載のヘアドライヤー。
【請求項６】
前記霧化装置は、
結露面を冷却して前記空気流中に含まれる水分を結露させる結露部と、
前記結露面を接地電極として放電を発生させる放電電極と
を有し、前記放電電極と前記結露面との間で発生させる放電により静電霧化した前記液滴を生成する請求項１から５のいずれか１項に記載のヘアドライヤー。
【請求項７】
前記美容成分保持部材は、前記複数の貫通孔が前記空気流に沿うようにドライヤ本体に装着されるカートリッジである請求項１から６のいずれか１項に記載のヘアドライヤー。
【請求項８】
請求項７に記載のカートリッジ。
【請求項９】
前記ヘアドライヤーへ装着した後に分離される把持部を備える請求項８に記載のカートリッジ。
【発明の詳細な説明】
【技術分野】
【０００１】
本発明は、ヘアドライヤーおよびヘアドライヤーに装着されるカートリッジに関する。
【背景技術】
【０００２】
コラーゲンなどの美容成分を空気流に乗せて毛髪に放散するヘアドライヤーが知られている（例えば、特許文献１参照）。
【先行技術文献】
【特許文献】
【０００３】
【特許文献１】特開２０１５−１９８５４号公報
【発明の概要】
【発明が解決しようとする課題】
【０００４】
コラーゲンなどの美容成分は、交換式のカートリッジ等によりヘアドライヤーに供給されるが、美容成分を保持する保持部材の容積自体は小さくしつつ、当該保持部材が保持可能な美容成分量は多くしたいという要請がある。しかも、保持する美容成分がヘアドライヤーの空気流に適度に取り込まれることも重要である。
【０００５】
本発明は、このような問題を解決するためになされたものであり、多くの美容成分を保持できるコンパクトな保持部材を備え、当該美容成分を適度に含む空気流を放散するヘアドライヤーおよび保持部材としてのカートリッジを提供するものである。
【課題を解決するための手段】
【０００６】
本発明の第１の態様におけるヘアドライヤーは、吸入口から吹出口へ向かう空気流を生成するファンと、空気流に霧化された液滴を付与する霧化装置と、保持する美容成分を空気流に含まれる液滴を媒体として空気流に放出する美容成分保持部材とを備え、美容成分保持部材は、空気流に沿った複数の貫通孔を有し、美容成分は複数の貫通孔の内面に吸着されている。
【０００７】
このように構成することにより、美容成分を吸着させる表面積を多く確保できると共に、霧化装置で発生させたミストに美容成分を溶かし込んで放出するので、空気流に対して適度な濃度で美容成分を放散させることができる。また、貫通孔は空気流に沿って設けられているので乱流の発生を抑制でき、ユーザは思い通りの箇所に美容成分を到達させることができる。
【０００８】
また、上記のヘアドライヤーにおいて、美容成分保持部材は、複数の貫通孔がハニカム構造によって形成されていると良い。貫通孔がハニカム構造であれば、美容成分保持部材は構造体として剛性が高く、カートリッジのように着脱可能なユニットにしても損傷を抑制することができる。また、美容成分保持部材は、複数の貫通孔の少なくとも一部が、空気流の吸入口における断面よりも吹出口における断面の方が大きく形成されていても良い。このような形状の貫通孔であれば、空気流をより円滑に吹出口まで導くことができる。
【０００９】
また、上記のヘアドライヤーの空気流の流路として、美容成分保持部材の複数の貫通孔とは別に、美容成分保持部材の外面に沿って形成された、複数の貫通孔から吹き出された空気流と合流する空気流を通過させる補助流路を設けても良い。このように補助流路を設けると、貫通孔を通過する空気流の流速よりも補助流路を通過する空気流の流速の方が大きくなるので、貫通孔から吹き出される空気流が補助流路を通過する空気流に誘引され、貫通孔流入時に発生する乱流を抑制することができる。
【００１０】
また、上記のヘアドライヤーにおいて、美容成分保持部材は、セラミック焼結体であっても良い。セラミック焼結体は多孔質であるので美容成分を多く保持できる。また、全体としても剛性が高いので、カートリッジのように着脱可能なユニットにしても損傷を抑制することができる。
【００１１】
また、上記のヘアドライヤーにおいて霧化装置は、結露面を冷却して空気流中に含まれる水分を結露させる結露部と、結露面を接地電極として放電を発生させる放電電極とを有し、放電電極と結露面との間で発生させる放電により静電霧化した液滴を生成するように構成しても良い。このように霧化した液滴は、粒径が小さく、美容成分保持部材の貫通孔で詰まることがほとんどない。また、液滴は放電によりイオン化するので、毛髪に対して保湿等の効果が期待できる。
【００１２】
このように利用される美容成分保持部材は、設けられている複数の貫通孔が空気流に沿うようにドライヤ本体に装着されるカートリッジとして構成すると良い。カートリッジとして交換可能であれば、美容成分が尽きるたびに新しいものと取り替えることにより、美容成分の放散を継続的に維持することができる。また、カートリッジがヘアドライヤーへ装着した後に分離される把持部を備えていれば、カートリッジの全体が美容成分で湿潤していても、ユーザは交換時に手を汚すことがない。
【発明の効果】
【００１３】
本発明により、多くの美容成分を保持できるコンパクトな保持部材を備え、当該美容成分を適度に含む空気流を放散するヘアドライヤーおよび保持部材としてのカートリッジを提供することができる。
【図面の簡単な説明】
【００１４】
【図１】本実施形態に係るヘアドライヤーの全体斜視図である。
【図２】カートリッジを装着する様子を示す部分拡大図である。
【図３】ハウジングの中央断面の様子を模式的に示す図である。
【図４】ヘアドライヤーのシステム構成図である。
【図５】カートリッジの全体斜視図である。
【図６】装着されたカートリッジの近傍を通過する空気流を説明する図である。
【図７】他の例のカートリッジの全体斜視図である。
【図８】更に他の例のカートリッジの全体斜視図である。
【図９】把持部を有するカートリッジの説明図である。
【発明を実施するための形態】
【００１５】
以下、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１６】
図１は、本実施形態に係るヘアドライヤー１００の全体斜視図である。ヘアドライヤー１００は、主に、温風や冷風を発生させる本体ユニット１１０と、ユーザが把持するグリップユニット１８０を備える。ヘアドライヤー１００は、ＡＣ電源から供給される電力によって、熱や空気流を発生させる。
【００１７】
本体ユニット１１０は、筐体であるハウジング１１６が外周を取り囲んで円筒形状を成し、一端側の開口である吸入口１１１から外気を取り入れ、他端側の開口である吹出口１１２から調整された空気流を吹き出す。吹出口１１２は、２つに分かれており、相対的に大量の空気流を吹き出す第１吹出口１１３と、第１吹出口よりは吐き出す空気流が少ない第２吹出口１１４とによって構成されている。なお、以降の説明においては、吸入口１１１側を上流側と称し、吹出口１１２側を下流側と称する。
【００１８】
本体ユニット１１０は、グリップユニット１８０と接続する端部を有する。当該端部近傍には、トグル式のモードスイッチ１１５が設けられている。モードスイッチ１１５は、吹き出す空気流に美容成分を放出させる美容モードと放出させない非美容モードとを切り替える切替部として機能する。ユーザは、モードスイッチ１１５を操作して希望するモードに切り替える。
【００１９】
グリップユニット１８０は、一端側が本体ユニット１１０と回動可能に接続されており、ユーザは、グリップユニット１８０を本体ユニット１１０に対して使用時においては直立させ、収容時においては並行にして折り畳む。グリップユニット１８０は、把持部の中央付近にオンオフスイッチ１８１を有する。ユーザは、オンオフスイッチ１８１を３つのポジションのいずれかにスライドさせることができる。それぞれのポジションは、１つがオフポジション、１つが後述するヒータへの通電を遮断して冷風を送出させる冷風ポジション、１つが電熱線に通電して温風を送出させる温風ポジションである。
【００２０】
ユーザがモードスイッチ１１５を操作して美容モードに切り替えると、美容成分が混入した空気流が第２吹出口１１４から吐出される。美容成分は、美容成分保持部材としてのカートリッジ１５０に吸着保持されている。カートリッジ１５０は、本体ユニット１１０に対して交換可能に装着される。すなわち、美容成分を放出し尽くしたカートリッジ１５０は、新たなカートリッジ１５０に取り替えられる。これにより、ヘアドライヤー１００は、美容成分の放散を継続的に維持することができる。図２は、本体ユニット１１０がカートリッジ１５０を装着する様子を示す部分拡大図である。
【００２１】
ハウジング１１６の一部には開口部が設けられており、開口部は、通常の使用時には収容蓋１１７で覆われている。収容蓋１１７は、一端側に設けられたヒンジによりハウジング１１６に枢設されており、ユーザは、カートリッジ１５０の交換時に収容蓋１１７の他端側を持ち上げて開口部を開く。開口部の奥には装着部１１８が設けられており、ユーザはカートリッジ１５０を装着部１１８へ装着することができる。カートリッジ１５０を装着して収容蓋１１７を閉じれば、ユーザは、ヘアドライヤー１００の美容モードを機能させることができる。なお、カートリッジ１５０が装着されていない状態ではモードスイッチ１１５を美容モードに切り替えられないように、モードスイッチ１１５にロック機構を設けても良い。
【００２２】
図３は、図１の座標系で示すｘｚ平面と平行な断面で切断した、ハウジング１１６の中央断面の様子を模式的に示す図である。図は、主要な構成要素に限って表している。具体的には、ハウジング１１６内に配設されたヒータ１２１、モータ１２２、ファン１２３、霧化装置１３０と、装着部１１８に装着されたカートリッジ１５０を表している。
【００２３】
ファン１２３は、モータ１２２によって回転され、吸入口１１１から外気を取り込んで、吹出口１１２へ向けて空気流を発生させる。モータ１２２は、例えば直流モータであり、ファン１２３と共に送風装置として機能する。ヒータ１２１は、通電されることにより熱を発生し、ファン１２３で発生された空気流を加熱して温風に変換する。ヒータ１２１は、例えば電熱線であり、絶縁板に巻回されるなどしてハウジング１１６の中空部に位置するように固定されている。
【００２４】
ハウジング１１６の内部空間は、吸入口１１１から取り込まれた外気がファン１２３よりも下流側で二手に分流するように、内壁１１９によって２つに分割されている。すなわち、ファン１２３によって生成される空気流は、この内壁１１９によって、第１吹出口１１３へ向かう空気流Ｂ０と、第２吹出口１１４へ向かう空気流Ｂ１とに分かれる。ヒータ１２１は、空気流Ｂ０を温めるように、空気流Ｂ０の流路中に配設されている。したがって、ユーザがオンオフスイッチ１８１を温風ポジションに設定していれば、通電されたヒータ１２１が空気流Ｂ０を主に温める。
【００２５】
霧化装置１３０は、空気流Ｂ１の流路中に配設されている。霧化装置１３０は、周辺空気に含まれる水分を結露させ、結露した水分をミスト化（霧化）して空気流Ｂ１に付与する装置である。ファン１２３が回っている間に水分を結露させる場合には、空気流Ｂ１に含まれる水分を結露させる。すなわち、霧化装置１３０は、空気中の水分を凝縮してミスト（霧化された液滴）を生成する装置であり、本実施形態においては、直径が十〜数百ナノメートルの液滴を生成する。
【００２６】
霧化装置１３０は、主に、ペルチェ素子１３１、冷却板１３２、放熱フィン１３３および放電電極１３４を含む。ペルチェ素子１３１の吸熱面側には導電性の冷却板１３２が貼り合わされており、冷却板１３２は、ペルチェ素子１３１によって冷却される。冷却板１３２のうち空気流と触れる側の面である結露面は、空気中に含まれる水分を結露させ、液滴が付着する。すなわち、冷却板１３２は、ペルチェ素子１３１と協働して結露部として機能する。
【００２７】
ペルチェ素子１３１の発熱面側には放熱のための放熱フィン１３３が貼り合わされている。放熱フィン１３３から放出された熱は、空気流Ｂ１の一部に乗って第２吹出口１１４から外部に吐き出される。
【００２８】
放電電極１３４は、後述する電極回路に接続されており、冷却板１３２を接地電極として放電が発生するように、冷却板１３２から所定量離間して配置されている。放電電極１３４に高圧の負パルスが印加されると、放電電極１３４の先端部と冷却板１３２の間で放電が起こり、冷却板１３２の結露面に結露していた結露水が、レイリー分裂により、マイナスイオンに帯電したミストとなって飛散する。すなわち、霧化装置１３０は、マイナスイオンに帯電したミスト（静電霧化した液滴）を、空気流Ｂ１に付与する。
【００２９】
なお、霧化装置１３０のうち、結露部は直接的に空気流Ｂ１の流路中に配設されていなくても良い。結露面で結露した結露水が放電によりミスト化した場合に、当該ミストが空気流Ｂ１に誘引されるのであれば、空気流Ｂ１に直接晒されない箇所に配設することも可能である。結露面が直接的に空気流Ｂ１に晒されないのであれば、比較的大きな結露水を生成することも可能であり、放電によって生成するミストの大きさをコントロールしやすい。
【００３０】
カートリッジ１５０は、霧化装置１３０よりも下流側に設けられた装着部１１８に装着されている。マイナスイオンに帯電したミストがカートリッジ１５０の内部を通過すると、カートリッジ１５０に吸着保持された美容成分がミストに溶出し、第２吹出口１１４から吐出される空気流Ｂ１は、当該美容成分を適度に含んだ状態でユーザの毛髪へ到達する。
【００３１】
なお、図示するように、霧化装置１３０とヒータ１２１の間には内壁１１９が介在し、互いに隔離されているので、ヒータ１２１が発生する熱は、霧化装置１３０の結露部に到達しにくい。したがって、結露部は、より多くの水分を結露させることができる。また、内壁１１９は、ヒータ１２１の熱をより遮断するように、断熱性の高い素材で形成されると良い。あるいは、内壁１１９の表面に熱移動を遮断する断熱シートを貼着すると良い。
【００３２】
図４は、ヘアドライヤー１００のシステム構成図である。ヘアドライヤー１００は、例えばマイクロプロセッサである制御部１９０によって電気系統の全体が制御される。オンオフスイッチ１８１のスイッチ状態、およびモードスイッチ１１５のスイッチ状態は、電気的に検出されて制御部１９０へ伝達される。制御部１９０は、これらのスイッチ状態に応じて各回路を制御する。制御対象は、主に、ヒータ回路１９１、モータ回路１９２、ペルチェ回路１９３および電極回路１９４である。
【００３３】
ヒータ回路１９１は、ヒータ１２１に通電して一定の発熱状態を保つ回路である。制御部１９０は、オンオフスイッチ１８１が温風ポジションであるときに、ヒータ回路１９１が機能するように制御する。モータ回路１９２は、モータ１２２に通電してファン１２３を一定の回転速度で回転させる回路である。制御部１９０は、オンオフスイッチ１８１が冷風ポジションまたは温風ポジションであるときに、モータ回路１９２が機能するように制御する。
【００３４】
ペルチェ回路１９３は、ペルチェ素子１３１を駆動して吸熱面から発熱面へ熱移動させる回路である。制御部１９０は、モードスイッチ１１５が美容モードに設定されているときに、ペルチェ回路１９３が機能するように制御する。電極回路１９４は、放電電極１３４に高圧の負パルスを印加して、放電電極１３４と冷却板１３２の間で周期的に放電を発生させる回路である。制御部１９０は、モードスイッチ１１５が美容モードに設定されているときに、電極回路１９４が機能するように制御する。
【００３５】
図５は、カートリッジ１５０の全体斜視図である。カートリッジ１５０は、上述のように、美容成分を吸着保持する美容成分保持部材である。吸着保持する美容成分は、霧化装置１３０で発生したミストを媒体として空気流Ｂ１に放出される。美容成分は、例えば保湿性を有するものとして、タンパク質、ムコ多糖、コラーゲン、エラスチン、ケラチン、ビタミン類等が挙げられる。なお、美容成分としては、上記した以外のものも任意に選択して用いることができるが、毛髪等における保湿性等を向上させてキューティクルの痛みを回復させる等の観点から、美容成分としてはコラーゲンを含むことが好ましい。
【００３６】
また、例えばコラーゲンなどに担持させるなどの態様により、金属微粒子を美容成分として採用することもできる。美容成分となり得る金属としては、金、銀、銅、白金、亜鉛、チタンが候補として挙げられる。このような金属微粒子は、毛髪に付着して抗菌作用や抗酸化作用を生じさせることができる。特に白金の微粒子は、抗酸化作用が極めて高いことが知られており、美容成分として採用すると良い。
【００３７】
カートリッジ１５０は、本体部１５１と、本体部１５１に複数設けられた貫通孔１５２によって構成されている。本体部１５１は、多孔質素材が用いられることが好ましく、例えばセラミック焼結体である。多孔質素材の空隙は、美容成分を吸着保持させる空間として利用できるので、本体部１５１は、多孔質素材でない場合に比べて多量の美容成分を保持することができる。
【００３８】
複数の貫通孔１５２は、カートリッジ１５０が装着部１１８に装着された場合に、空気流Ｂ１に沿うように設けられている。換言すると、装着部１１８は、貫通孔１５２が空気流Ｂ１に沿う向きにカートリッジ１５０が装着されるよう、収容形状が規定されている。したがって、空気流Ｂ１の少なくとも一部は、貫通孔１５２の内部を通過する。
【００３９】
霧化装置１３０で生成されたミストを含む空気流Ｂ１が貫通孔１５２を通過したときに、当該ミストが貫通孔１５２の内面と接触して美容成分を溶かし込むように、当該美容成分は、貫通孔の内面に一定の厚みをもって吸着されている。貫通孔１５２の内面に吸着保持された美容成分が、ヘアドライヤー１００の使用により消費され、多孔質素材の空隙から滲出する美容成分も消尽されると、カートリッジ１５０は交換時期を迎える。このようなカートリッジ１５０の構成を採用すれば、美容成分を保持する部材と、それを取り囲むケースのような二重構造を採用する必要がないので、保持量を増大させつつも全体としてコンパクトに仕上げることができる。
【００４０】
貫通孔１５２のそれぞれは、少なくとも一部がハニカム構造によって形成されていることが好ましい。具体的には、図示するように、貫通孔１５２としての中空の六角柱が吸入側から吹出側へ向かって伸延し、それぞれが互いに稠密に隣接する構造である。貫通孔１５２がハニカム構造であれば、カートリッジ１５０は構造体として高い剛性を確保できるので、輸送時や着脱時に多少の押圧があっても潰れたりする虞がない。また、稠密に隣接する構造であることから、全体として貫通孔１５２の内面の面積を大きくできるので、美容成分をより多く保持する点においても有利である。
【００４１】
図６は、装着されたカートリッジ１５０の近傍を通過する空気流を説明する図である。上述のように、カートリッジ１５０が装着部１１８に装着されると、貫通孔１５２の向きは、空気流Ｂ１の流れに沿う。したがって、上流側から到達する空気流Ｂ１の一部は空気流Ｂ１ａとして、貫通孔１５２の内部を通過する。この通過過程において、空気流Ｂ１ａはカートリッジ１５０に吸着保持された美容成分を取り込む。
【００４２】
空気流Ｂ１の流路としては、貫通孔１５２とは別に、カートリッジ１５０の外面に沿った補助流路が設けられている。図示する空気流Ｂ１ｂは、この補助流路を通過する空気流を表している。補助流路は、具体的には、カートリッジ１５０の上面と収容蓋１１７の間の空間であったり、カートリッジ１５０の側面とハウジング１１６の間の空間であったりする。補助流路を通過した空気流Ｂ１ｂは、カートリッジ１５０の吹出側で、空気流Ｂ１ａと合流する。
【００４３】
空気流Ｂ１ａは、補助流路が存在しないと、貫通孔１５２への突入時に抵抗を受けて流れが阻害され、貫通孔１５２を通過するときには流速が落ち、したがって単位時間当たりの流量も低下する。しかし、空気流Ｂ１ｂが存在すると、空気流Ｂ１ｂが、カートリッジ１５０の吹出側で負圧を生じさせ、貫通孔１５２を通過する空気流Ｂ１ａを誘引するので、空気流Ｂ１ａの流速を上げ、単位時間当たりの流量を一定水準に維持することができる。したがって、カートリッジ１５０の吸入側で発生しがちな乱流を抑制することができ、空気流Ｂ１は、第２吹出口１１４から滑らかに吹き出る。
【００４４】
以上のような構成により本実施形態に係るヘアドライヤー１００は、使用するユーザの毛髪や頭皮に美容成分を供給することができる。したがって、毛髪の表面におけるキューティクルの剥離等のような髪のダメージをより効果的に修復し、さらには毛髪の保湿もより効果的に行うことができる。特に、ヘアドライヤー１００は、ユーザが使用するたびにミストと美容成分を毛髪に供給することができるので、使用し続けることでキューティクルをより引き締めることができ、ブラッシングや温風による加熱等によるダメージを抑え、毛髪をより保湿性の高い状態に維持することができる。また、頭皮における皮脂の発生を抑制して毛穴を清潔な状態に保つことができる。さらにヘアカラーを行った場合の退色も抑制でき、染めた毛髪色を長期間に亘って維持することも期待できる。また、ヘアドライヤー１００は、マイナスイオンも毛髪や頭皮に供給することができるので、毛髪のキューティクルをより引き締めることができ、より高い保湿性を維持することができる。
【００４５】
次に、カートリッジ１５０のいくつかの変形例について説明する。図７は、他の例のカートリッジ１５０ａの全体斜視図である。上述のカートリッジ１５０は、ハニカム構造を採用したが、カートリッジ１５０ａの貫通孔１５２ａは、その断面が円形である。貫通孔１５２ａの伸延方向は、貫通孔１５２の伸延方向と同じく、カートリッジ１５０ａが装着部１１８に装着された場合に、空気流Ｂ１に沿うように設けられている。それぞれの貫通孔１５２ａの断面円の大きさは、互いに異なっていても良い。このように、断面が円である貫通孔１５２ａを採用すると、カートリッジとしての製造が容易であり、生産工程における歩留まりが向上する。
【００４６】
図８は、更に他の例のカートリッジ１５０ｂの全体斜視図である。上述のカートリッジ１５０は、貫通孔１５２の吸入側における断面も吹出側における断面も同一形状であったが、カートリッジ１５０ｂの貫通孔１５２ｂの少なくとも一部は、吸入側における断面よりも吹出側における断面の方が大きく形成されている。すなわち、貫通孔１５２ｂの少なくとも一部は、吹出側へ向かってその断面の面積が漸増する形状を有する。このような貫通孔１５２ｂを有するカートリッジ１５０ｂを採用すれば、空気流Ｂ１をより円滑に第２吹出口１１４まで導くことができる。
【００４７】
図９は、把持部１５５を有するカートリッジ１５０の説明図である。具体的には、カートリッジ１５０に把持部１５５が貼着されたものである。カートリッジ１５０は、美容成分をより多く吸着保持するために、吸着保持する美容成分によっては、全体が美容成分で湿潤している場合がある。その場合に、ユーザがカートリッジ１５０の表面を把持することは、ユーザの心情としても、カートリッジ１５０に細菌が付着することからも好ましくない。カートリッジ１５０を容器で覆うこともできるが、カートリッジ１５０をコンパクトにしつつもより多くの美容成分を保持させる観点からは好ましくない。したがって、装着後に分離できる把持部１５５をカートリッジ１５０に設けることが望ましい。
【００４８】
把持部１５５は、面着部１５６とつまみ１５７を有する。面着部１５６は、カートリッジ１５０の本体１５１の上面に剥離可能に貼着される。つまみ１５７は、ユーザが把持する部分であり、ユーザは、つまみ１５７を把持してカートリッジ１５０を装着部１１８へ装着したら、つまみ１５７を引き上げることで、把持部１５５をカートリッジ１５０から分離する。このような把持部１５５を設ければ、ユーザは、全体が湿潤したカートリッジであっても手を汚すことなく装着することができる。
【００４９】
以上説明した本実施形態に係るヘアドライヤー１００は、放電電極１３４に負のパルスを印加してマイナスイオンを発生させたが、正のパルスを印加してプラスイオンを発生させても良い。正のパルスを印加して放電を発生させると、プラスイオンに帯電したミストが発生する。この場合は、プラスイオンがユーザの毛髪に到達し、プラスイオンによる抗菌効果などが期待できる。また、放電電極１３４に印加するパルスの極性を変化させることにより、マイナスイオンとプラスイオンをシーケンシャルに発生させても良い。また、放電電極１３４を複数設けて、プラスイオンとマイナスイオンを同時に発生させるようにしても良い。
【００５０】
また、以上説明した本実施形態に係るヘアドライヤー１００は、美容成分保持部材として交換式のカートリッジ１５０を採用したが、カートリッジ式ではなく、例えば美容成分を外部から注入できるような美容成分保持部材を採用しても良い。この場合の美容成分保持部材は、本体ユニット１１０に固定されていて良い。また、貫通孔１５２の内面は、本体１５１の素材とは別素材であっても良い。
【符号の説明】
【００５１】
１００  ヘアドライヤー、１１０  本体ユニット、１１１  吸入口、１１２  吹出口、１１３  第１吹出口、１１４  第２吹出口、１１５  モードスイッチ、１１６  ハウジング、１１７  収容蓋、１１８  装着部、１１９  内壁、１２１  ヒータ、１２２  モータ、１２３  ファン、１３０  霧化装置、１３１  ペルチェ素子、１３２  冷却板、１３３  放熱フィン、１３４  放電電極、１５０、１５０ａ、１５０ｂ  カートリッジ、１５１  本体部、１５２、１５２ａ、１５２ｂ  貫通孔、１５５  把持部、１５６  面着部、１５７  つまみ、１８０  グリップユニット、１８１  オンオフスイッチ、１９０  制御部、１９１  ヒータ回路、１９２  モータ回路、１９３  ペルチェ回路、１９４  電極回路
【図１】
2019111152.tif 000003
【図２】
2019111152.tif 000004
【図３】
2019111152.tif 000005
【図４】
2019111152.tif 000006
【図５】
2019111152.tif 000007
【図６】
2019111152.tif 000008
【図７】
2019111152.tif 000009
【図８】
2019111152.tif 000010
【図９】
2019111152.tif 000011